(57)【要約】【課題】広告情報として掲載する情報項目や広告掲載期間を自由に決めて登録することができ、それに応じて広告料金を課金し、また、他の施設のアイコンとの差異を図ることが可能な広告料金課金に関する広告情報登録システムを提供すること。【解決手段】広告登録依頼に対して広告情報の登録を行う広告料金課金に関する広告情報登録システムであって、広告依頼者端末１０ａ〜１０ｃと広告情報登録サーバ２０とから構成され、広告情報登録サーバが広告依頼者端末からの広告情報に応じて広告料金を提示する課金データベース２１および課金処理部２５から成る広告料金提示手段と、提示された広告料金に応じて施設データベース２３から広告対象を選択し提示する広告対象提示手段とを備えることを特徴とする。【選択図】　　　　図１
2004021539.tif 000002
【特許請求の範囲】
【請求項１】
広告依頼者からの広告情報の広告登録依頼に対して登録を行う広告料金課金に関する広告情報登録システムであって、
前記広告情報の個別の情報内容に応じた料金を確認しながら前記広告依頼者が決定した前記広告情報に応じて広告料金を提示する広告料金提示手段と、提示された前記広告料金に応じて広告対象を提示する広告対象提示手段とを備えることを特徴とする広告料金課金に関する広告情報登録システム。
【請求項２】
前記広告情報は、情報量および掲載期間であることを特徴とする請求項１記載の広告料金課金に関する広告情報登録システム。
【請求項３】
前記広告対象は電子地図上のアイコンであることを特徴とする請求項１または２記載の広告料金課金に関する広告情報登録システム。
【請求項４】
前記掲載期間が自由に設定可能な入力フィールドを備えることを特徴とする請求項２または３記載の広告料金課金に関する広告情報登録システム。
【請求項５】
広告料金提示手段は１日単位での広告料金単価を提示し、前記広告対象提示手段は提示された前記広告料金単価に応じた広告対象を提示することを特徴とする請求項１〜４のいずれか１項に記載の広告料金課金に関する広告情報登録システム。
【請求項６】
前記広告対象提示手段は前記広告情報の前記掲載期間が所定期間である場合、前記広告料金に応じた広告対象とは異なる広告対象を提示することを特徴とする請求項２〜５のいずれか１項に記載の広告料金課金に関する広告情報登録システム。
【発明の詳細な説明】
【０００１】
【発明の属する技術分野】
本発明は、広告料金課金に関する広告情報登録システムに関し、特に、地図情報検索サービスにおいて広告情報を登録する際の広告料金課金に関する広告情報登録システムに関する。
【０００２】
【従来の技術】
ネットワークなどを介して提供される地図上に広告を表示する「広告情報を含んだ地図情報検索サービス」において、特許第２７５６４８３号公報による技術によって、小規模な事業形態の広告依頼者であっても広告が出しやすい広告情報の供給方法およびその登録方法が開示されている。
【０００３】
広告依頼者による広告情報の登録においては、地図上において広告対象物の位置を指定し、この指定した地点に図像化した広告対象物を表示し、この広告対象物に広告情報を関連付けさせて行う。広告受給者は、広告情報が関連付けられた広告対象物から広告情報を受ける。
【０００４】
【発明が解決しようとする課題】
上記技術では、広告依頼者は、地図情報検索サービスの運営者によって決められたフォーマットに従い広告情報を登録し、サービスの運営者によって決められた期間のみ、広告情報を掲載することができるようになっている。この場合、決められた期間に応じて、年会費等の形で一律の広告料金を支払う。このようなサービスを利用する場合、広告依頼者は、サービスの運営者によって決められたフォーマットおよび期間、期間に応じた広告料金の支払いに従って広告を掲載するしかなかった。このため、広告依頼者は自己の広告予算をサービスに合わせて決めるのみであった。
【０００５】
一方、広告依頼者によっては、広告の情報量、情報項目や広告掲載期間の要求がそれぞれ異なる。このため、フォーマットが決められていると、フォーマット内には広告依頼者にとっては必要のない情報項目もあり、広告受給者が広告情報を見たとき、その項目が空欄となってしまう場合がある。また、広告依頼者が広告掲載期間（掲載日）を自由に設定できないので、決められた期間中には広告が掲載され続け、その広告掲載期間の途中から無効となる情報（例えば、閉店セール等）がそのままとなってしまう。また、広告依頼者はその分の広告料金を支払わなければならない。
【０００６】
さらに、広告依頼者自らが他の施設との差別をする目的で、地図上のアイコン画像の表示を工夫することができなかった。このため、地図上でアイコン画像を表示する段階での他の施設との差別化が図りにくかった。
【０００７】
本発明の目的は、上記の課題に鑑み、これを有効に解決することにあり、広告情報として掲載する情報項目や広告掲載期間を自由に決めて登録することができ、それに応じて広告料金を課金し、また、他の施設のアイコンとの差異を図ることが可能な広告料金課金に関する広告情報登録システムを提供することにある。
【０００８】
【課題を解決するための手段および作用】
本発明に係る広告料金課金に関する広告情報登録システムは、上記目的を達成するために、次のように構成される。
【０００９】
第１の広告料金課金に関する広告情報登録システム（請求項１に対応）は、広告依頼者からの広告情報の広告登録依頼に対して広告情報の登録を行う広告料金課金に関する広告情報登録システムであって、広告情報の個別の情報内容に応じた料金を確認しながら広告依頼者が決定した広告情報に応じて広告料金を広告依頼者に提示する課金データベースおよび課金処理部から成る広告料金提示手段と、提示された広告料金に応じて施設データベースから広告対象を選択し提示する広告対象提示手段とを備えることを特徴とする。
【００１０】
第１の広告料金課金に関する広告情報登録システムによれば、広告依頼者からの、広告依頼者が自由に入力した広告情報に応じて広告料金が決定され、この広告料金に応じて広告対象が提示されるので、自己の広告予算に応じて広告情報を加減することによって広告料金を決定でき、この結果、広告予算に応じた広告対象を決めることが可能となる。
【００１１】
第２の広告料金課金に関する広告情報登録システム（請求項２に対応）は、上記の第１のシステム構成において、好ましくは、広告情報は、情報量および掲載期間であることを特徴とする。
【００１２】
第２の広告料金課金に関する広告情報登録システムによれば、広告情報が情報量および掲載期間であるので、自由に情報量の加減、掲載期間の長短を決めることが可能となる。また、これらの情報量と掲載期間により広告料金が決定し、この広告料金に応じて広告対象が選択されるので、情報量の加減および掲載期間の長短を決めることで広告対象を決めることが可能となる。
【００１３】
第３の広告料金課金に関する広告情報登録システム（請求項３に対応）は、上記の各システム構成において、好ましくは、広告対象は電子地図上のアイコンであることを特徴とする。
【００１４】
第３の広告料金課金に関する広告情報登録システムによれば、広告対象は電子地図上のアイコンであるので、ソフトによって容易に他の施設との差異化を図ることができる。
【００１５】
第４の広告料金課金に関する広告情報登録システム（請求項４に対応）は、上記の第２、第３のシステム構成において、好ましくは、掲載期間が自由に設定可能な入力フィールドを備えることを特徴とする。
【００１６】
第４の広告料金課金に関する広告情報登録システムによれば、掲載期間を自由に設定できるので、閉店セールの場合などに対してフレキシブルに対応することが可能である。
【００１７】
第５の広告料金課金に関する広告情報登録システム（請求項５に対応）は、上記の各システム構成において、好ましくは、広告料金提示手段は１日単位での広告料金単価を提示し、広告対象提示手段は提示された１日単位での広告料金単価に応じた広告対象を提示することを特徴とする。
【００１８】
第５の広告料金課金に関する広告情報登録システムによれば、広告料金が１日単位で提示されるので、容易に広告予算を検討することができる。
【００１９】
第６の広告料金課金に関する広告情報登録システム（請求項６に対応）は、上記の各システム構成において、好ましくは、広告対象提示手段は広告情報の掲載期間が所定期間である場合、広告料金に応じた広告対象とは異なる広告対象を提示することを特徴とする。
【００２０】
第６の広告料金課金に関する広告情報登録システムによれば、入力フィールドに入力された掲載期間に応じて広告料金に応じた広告対象とは異なる広告対象を提示するので、同一の広告料金であっても掲載期間の長短によって広告対象を変え、他の施設との差異化が図れる。
【００２１】
【発明の実施の形態】
以下に、本発明の好適な実施形態を添付図面に基づいて説明する。
【００２２】
図１は、本実施形態に係る広告料金課金に関する広告情報登録システムの全体を示す概念図である。広告情報登録システムは広告依頼者端末１０ａ〜１０ｃと広告情報登録サーバ２０と広告情報を受給する広告受給者端末３０ａ〜３０ｃとこれらを双方向で通信可能とする通信回線４０とから構成される。以下、適宜、広告依頼者端末１０を広告依頼者端末１０ａ〜１０ｃを代表するものとして、広告受給者端末３０を広告受給者端末３０ａ〜３０ｃを代表するものとして用いる。
【００２３】
広告を依頼したい者は広告依頼者端末１０より広告情報登録サーバ２０の登録画面を読み出して、広告情報の登録を行う。広告情報登録サーバ２０は、広告受給者端末３０から地図ページの要求があったときに、要求された地図ページに含まれる施設アイコンデータを抽出し、広告受給者端末３０に送信する。
【００２４】
図２は、本実施形態に係る広告料金課金に関する広告情報登録システムの広告依頼者端末１０のブロック構成図である。広告依頼者端末１０は、入力部１１と表示部１２と記憶部１３と通信部１４とこれらを制御する中央処理管理装置１５から構成される。広告依頼者は表示部１２に表示される登録画面に従って、入力部１１を操作しながら広告情報を入力する。入力された広告情報は記憶部１３に格納されると共に、通信部１４を介して通信回線４０へ送られる。通信回線４０へ送られた広告情報は、広告情報登録サーバ２０へ送られる。
【００２５】
図３は、本実施形態に係る広告料金課金に関する広告情報登録システムの広告情報登録サーバ２０のブロック構成図である。広告情報登録サーバ２０は、課金データベース２１、地図データベース２２、施設データベース２３、時刻管理部２４、課金処理部２５、メモリ部２６、通信処理部２７とこれらを制御する情報処理部２８とから構成される。課金データベース２１には、料金表、広告料金請求表等が格納されている。地図データベース２２は、２つの緯度と２つの経度によって切り出される地図に対して与えられたメッシュＩＤに対応してデータファイルが格納され、また住所位置（緯度、経度）を都道府県名称および都道府県コードや、市区町村名称および市区町村コードに対応させて格納している。施設データベース２３には、広告情報が登録された施設の名称、住所、位置（緯度、経度）、アイコンランク、掲載期間等が格納されている。
【００２６】
時刻管理部２４は、登録された広告情報の掲載期間の始期と終期を管理する。課金処理部２５は、広告依頼者によって入力された広告情報に応じて、課金データベース２１の料金表より１日あたりの広告料金を算出して提示する。つまり、課金データベース２１と課金処理部２５が広告料金提示手段として機能する。また、課金処理部２５は登録時に、登録された広告情報と掲載期間に基づいて広告料金請求データを作成し、広告依頼者に広告料金を請求する。通信処理部２７は広告依頼者端末１０や広告受給者端末３０からの登録処理の要求や閲覧処理の要求に応じた情報の送受信の処理を行う。
【００２７】
図４は、本実施形態に係る広告料金課金に関する広告情報登録システムの課金データベース２１の概念構成図である。課金データベース２１は施設ＩＤ１０１に対応して、１日あたりの広告料金１０２、請求金額１０３、広告登録日１０４を格納する。例えば、施設ＩＤ１０１「１００２５」に対して、１日あたりの広告料金１０２「１２００」円、請求金額１０３「１５０００」円、広告登録日１０４「２００２／０１／０２」となっている。また、課金データベース２１は、広告情報として登録される情報項目１０５と金額１０６を対応させた料金表を格納する。情報項目としては、例えば、名称１０７、施設ＩＤ１０８、住所１０９等があり、それぞれに対して登録すると、１０円、０円、１０円の登録料がかかる。
【００２８】
図５は、本実施形態に係る広告料金課金に関する広告情報登録システムの地図データベース２２の概念構成図である。地図データベース２２は、２つの緯度１１２，１１３と２つの経度１１４，１１５によって切り出される地図に対して与えられたメッシュＩＤ１１０に対応してデータファイル１１６を格納し、また住所位置（緯度、経度）を都道府県名称１１７および都道府県コード１２０や、市区町村名称１２１および市区町村コード１２４に対応させて格納する。メッシュＩＤ１１０には縮尺１１１と２つの緯度１１２，１１３と２つの経度１１４，１１５とデータファイル１１６が対応している。都道府県名称１１７にはその県庁所在地の位置の緯度１１８および経度１１９と都道府県コード１２０が対応させられて格納されている。さらに市区町村名称１２１にはその市区町村の役所の位置の緯度１２２および経度１２３と都道府県コード１２０と市区町村コード１２４が対応させられて格納されている。
【００２９】
図６は、本実施形態に係る広告料金課金に関する広告情報登録システムの施設データベース２３の概念構成図である。施設データベース２３には、広告情報が登録された施設の名称１２５、住所１２７、位置（緯度、経度）１３０，１３１、アイコンランク１３３、掲載期間１３８〜１４１等が格納されている。登録された施設の名称１２５に対応して、施設ＩＤ１２６、住所１２７、都道府県コード１２８、市区町村コード１２９、緯度１３０、経度１３１、アイコン画像コード１３２、アイコンランク１３３、最終更新時刻１３４、ＵＲＬ（Ｕｎｉｆｏｒｍ　Ｒｅｓｏｕｒｃｅ　Ｌｏｃａｔｏｒｓ）１３５、画像ファイル１３６、音声ファイル１３７、掲載開始日１３８、掲載開始時刻１３９、掲載終了日１４０、掲載終了時刻１４１が格納されている。また、アイコン画像コード１３２に対応して施設名称１４２、アイコンファイル１４３が格納され、アイコンランク１３３に対応して料金金額１４４が格納されている。
【００３０】
図７は、本実施形態に係る広告料金課金に関する広告情報登録システムでの広告情報登録画面の表示と地図表示を示す概念図である。２００は広告依頼者端末１０の表示部１２に表示される電子地図である。広告依頼者は電子地図を広告情報登録サーバ２０から読み出して電子地図２００を表示部１２に表示させる。３００，４００は広告情報登録画面である。広告情報登録画面３００，４００は、広告依頼者が住所入力または緯度・経度の指定によって、広告情報を置きたい位置を特定した後に広告依頼者端末１０の表示部１２に表示される画面である。なお、住所入力によって広告情報を置きたい位置を特定した場合は、サーバまたは広告依頼者端末側で住所を緯度・経度に変換するようにしてもよい。
【００３１】
次に広告情報登録画面３００を詳細に説明する。広告依頼者は、広告情報を置きたい位置３００ａを特定した後、広告依頼者端末１０の表示部１２に表示される登録画面である。広告情報登録画面３００の広告情報入力項目を入力や選択を行い広告情報登録をする。広告依頼者は広告掲載開始日入力フィールド３０１と広告掲載終了日入力フィールド３０２に日付けを入力することによって、自由に掲載期間を設定することができる。広告掲載開始日入力フィールド３０１と広告掲載終了日入力フィールド３０２に日付けを入力すると、掲載期間フィールド３０３に掲載期間が表示される。例えば、広告情報登録画面３００では、広告掲載開始日入力フィールド３０１「２００２／０３／１５」、広告掲載終了日入力フィールド３０２「２００２／０５／３１」と入力され、掲載期間フィールド３０３「７８」と表示されている。広告費フィールド３０４には広告費が表示される。この広告費フィールド３０４に表示される広告費は、掲載期間および後述する広告情報に入力した情報量に応じて変化する。
【００３２】
一日単価フィールド３０５には、広告費を掲載期間で割った１日あたりの広告料金が表示される。日数フィールド３０６には上述の掲載期間フィールド３０３に表示された日数と同日の日数が表示される。ここでは、広告費フィールド３０４「２７３０」、一日単価フィールド３０５「３５」、掲載期間フィールド３０６「７８」と表示される。
【００３３】
広告費フィールド３０４に表示される広告費に応じて、アイコンランクフィールド３０７にアイコンランクが表示される。このアイコンランクフィールド３０７に表示されるアイコンランクのランクを上げるためには、料金フィールド３０８に表示された金額を広告費として追加すればよい。ここでは、アイコンランクフィールド３０７「Ｅ」、料金フィールド３０８「１１７０」と表示される。
【００３４】
次に、登録する広告情報について説明する。広告情報として入力する入力事項３０９には、施設名３１０、施設所在地３１１、業種３１２、営業時間３１３、休業日３１４、リアルタイム情報３１５、ＨＰ（Ｈｏｍｅ　Ｐａｇｅ）リンク３１６、お店のＰＲ（Ｐｕｂｌｉｃ　Ｒｅｌａｔｉｏｎｓ）３１７がある。広告依頼者は、入力したい事項を自由に入力することができる。
【００３５】
施設名入力フィールド３１８には「○○株式会社久喜事業所」と入力され、施設所在地フィールド３１９，３２０，３２１の都道府県名フィールド３１９には「埼玉県」、市区町村名フィールド３２０には「久喜市」、住所フィールド３２１には「江面字大谷１８３６−１」と入力または選択されている。業種フィールド３２２には特定を行わないため、入力または選択を行っていない。営業時間フィールド３２３，３２４も特定を行わないため、選択を行っていない。休業日フィールド３２５，３２６は、ありを選択し、「土日・祝日」を選択している。リアルタイム情報入力フィールド３２７は空白になっている。ＨＰリンク入力フィールド３２８には、「ｈｔｔｐ：／／ｗｗｗ．○○．ｃｏ．ｊｐ」と入力されている。お店のＰＲ入力フィールド３２９は空白になっている。
【００３６】
上記入力または選択フィールド３１８，３１９，３２０，３２１，３２２，３２３，３２４，３２５，３２６，３２７，３２８，３２９のそれぞれまたはひとまとまりに対して単価（円／日）３３０が表示される。ここでは、施設名入力フィールド３１８に対して１０円３３１、施設所在地フィールド３１９，３２０，３２１に対して１０円３３２、業種フィールド３２２に対して５円３３３、営業時間フィールド３２３，３２４に対して５円３３４、休業日フィールド３２５，３２６に対して５円３３５、リアルタイム情報入力フィールド３２７に対して２０円３３６、ＨＰリンク入力フィールド３２８に対して１０円３３７、お店のＰＲ入力フィールド３２９に対して２０円３３８と表示される。この単価（円／日）は入力または選択を行った場合の料金であり、これらの料金の合計額と掲載期間によって、広告費フィールド３０４に表示される広告費が決まる。
【００３７】
広告情報登録画面４００は、広告依頼者が広告情報を置きたい位置４００ａを特定した後、広告依頼者端末１０の表示部１２に表示される登録画面である。広告情報登録画面４００には広告情報登録画面３００と同様に、広告掲載開始日入力フィールド４０１、広告掲載終了日入力フィールド４０２、掲載期間フィールド４０３、広告費フィールド４０４、一日単価フィールド４０５、掲載期間フィールド４０６、アイコンランクフィールド４０７、料金フィールド４０８を有し、広告情報として入力する入力事項４０９には、施設名４１０、施設所在地４１１、業種４１２、営業時間４１３、休業日４１４、リアルタイム情報４１５、ＨＰ（Ｈｏｍｅ　Ｐａｇｅ）リンク４１６、お店のＰＲ（Ｐｕｂｌｉｃ　Ｒｅｌａｔｉｏｎｓ）４１７がある。
【００３８】
広告情報登録画面３００と同様に入力または選択フィールド４１８，４１９，４２０，４２１，４２２，４２３，４２４，４２５，４２６，４２７，４２８，４２９に広告情報を入力または選択する。また、広告掲載開始日入力フィールド４０１と広告掲載終了日入力フィールド４０２に日付けを入力する。これら広告情報の入力または選択すると、広告費フィールド４０４に広告費が表示される。広告情報登録画面４００では、施設名入力フィールド４１８には「喫茶こすもす」と入力され、施設所在地フィールド４１９，４２０，４２１の都道府県名フィールド４１９には「埼玉県」、市区町村名フィールド４２０には「久喜市」、住所フィールド４２１には「江面字大谷１８３６−２」と入力または選択されている。業種フィールド４２２は「飲食店」と入力され、営業時間フィールド４２３，４２４は「１０：００〜１９：００」と選択または入力されている。休業日フィールド４２５，４２６は、ありを選択し、「水」を選択している。リアルタイム情報入力フィールド４２７は空白になっている。ＨＰリンク入力フィールド４２８には、「ｈｔｔｐ：／／ｗｗｗ．ｃｏｓｍｏｓ．ｊｐ」と入力されている。お店のＰＲ入力フィールド４２９には「春のいちごフェア　ご飲食の方に、イチゴのミニショートケーキをサービス！」と入力されている。なお、広告情報登録画面３００に比べて広告情報登録画面４００による広告費の方が高いため、電子地図上でのアイコンの半径が３００ａよりも４００ａの位置にあるものの方が大きくなっている。ここで、１日あたりの広告料金によってアイコンランクを変えるとしたが、掲載期間が長い場合、例えば３ヶ月以上などの場合に、同じ広告料金である施設のアイコンランクよりも上のアイコンランクとしてもよい。
【００３９】
図８は、本実施形態に係る広告料金課金に関する広告情報登録システムでの登録確認画面５００である。この登録確認画面５００は広告情報登録画面３００の入力および選択事項に応じた登録確認画面である。掲載期間フィールド５０１には、広告掲載開始日入力フィールド３０１と広告掲載終了日入力フィールド３０２に入力または選択された日付けが表示される。掲載期間フィールド５０２には、掲載期間フィールド４０３に表示された日数と同一の掲載期間の日数が表示される。合計請求金額フィールド５０３には、広告費フィールド３０４に表示された広告費と同額の広告費が表示される。広告料金単位５０４には、一日単価フィールド３０５に表示された１日あたりの広告料金が表示される。アイコンランク５０５には、広告料金単位５０４に表示された料金に対応したアイコンランクが表示される。料金フィールド５０６には、アイコンランクを上げるために、あといくらかかるかが表示される。ここでは、広告料金単位３５円に対して、１つ上のアイコンランクである５０円まで１５円であるので、１５円に掲載期間の日数７８日間をかけた料金である１１７０円が表示される。
【００４０】
「登録する」ボタン５０７をクリックすると、広告情報が登録される。図９は、本実施形態に係る広告料金課金に関する広告情報登録システムでの登録完了画面５１０である。この登録完了画面５１０は、登録確認画面５００で「登録する」ボタン５０７をクリックしたときに表示される画面である。掲載期間フィールド５０１には、登録確認画面５００の掲載期間フィールド５０１と同様に掲載期間が表示される。掲載期間フィールド５０２、合計請求金額フィールド５０３、アイコンランク５０５も、登録確認画面５００の対応するフィールドと同様に表示される。この表示により登録が完了した事項を確認することができる。
【００４１】
なお、図８で示した登録確認画面５００の「アイコンのランク上げる」ボタン５０８をクリックすると、合計請求金額が２７３０円から３９００円に上がった登録確認画面が表示される。「登録しない」ボタン５０９をクリックすると、登録せずに広告情報登録を終了する。
【００４２】
図１０は、本実施形態に係る広告料金課金に関する広告情報登録システムでのアイコンランク６０１とアイコンの半径６０２の対応関係を示す図である。アイコンランク６０１が高いと、電子地図上に表示されるアイコンの半径６０２が大きいため、ランクが低いアイコンに比べて目立つ。ここでは、アイコンランクが高いと、アイコンの半径が大きくなるのみであるが、他にも目立たせるためにアイコンの色を目立つ色に変えたり、濃い色に変えたりすることも可能である。また、アイコンランクが高くなるにつれて、形状において、一番低いランクに対応する三角形状から、ランクが上がるに従って外接円に沿って画数を増やし円形状にすることも可能である。さらに、アイコンランクが高くなるに従って、アイコンの絵柄を目立つように変化させたり、グラデーションを目立つようにさせる。また、アイコンランクに応じてアイコンを点滅・回転させる。また、表示される電子地図の縮尺に応じて、アイコンを表示させる。例えば、アイコンランクが低い場合には詳細地図でのみアイコンを表示し、アイコンランクが高い場合には全ての縮尺の地図で表示させるようにする。
【００４３】
図１１は、本実施形態に係る広告料金課金に関する広告情報登録システムでの広告登録処理フローを示す図である。広告情報登録サーバ２０は広告依頼者端末１０からの広告情報の入力待機状態となっている（ステップＳ２０１）。
【００４４】
広告依頼者は広告依頼者端末１０の入力部１１より広告情報を入力する（ステップＳ１０１）。入力された広告情報は広告依頼者端末１０の通信部１４、通信回線４０を介して広告情報登録サーバ２０に送出される（ステップＳ１０２）。
【００４５】
広告情報登録サーバ２０は広告情報を受信する。広告情報登録サーバの課金処理部２５は広告情報に対応した広告料金を課金データベース２１の料金表から抽出する。この広告料金を掲載期間で割った金額を１日あたりの広告料金として算出する（ステップＳ２０２）。算出された１日あたりの広告料金は通信回線を介して広告依頼者端末１０へ送信される。
【００４６】
広告依頼者端末１０で受信された１日あたりの広告料金は、表示部１２に表示されている広告情報登録画面３００，４００の一日単価フィールド３０５，４０５に表示される（ステップＳ１０３）。
【００４７】
１日あたりの広告料金の算出後、課金データベース２１の料金対応表に基づいてアイコンランクを選択する（ステップＳ２０３）。選択されたアイコンランクとアイコン画像が広告依頼者端末１０へ送信される。
【００４８】
広告依頼者端末１０で受信されたアイコンランクは、表示部１２に表示されている広告情報登録画面３００，４００のアイコンランクフィールド３０７，４０７に表示される（ステップＳ１０４）。
【００４９】
アイコンランクが選択された後、広告掲載期間から合計請求金額を算出する（ステップＳ２０４）。算出された合計請求金額は広告依頼者端末１０へ送信される。
【００５０】
広告依頼者端末１０で受信された合計請求金額は、表示部１２に表示されている広告情報登録画面３００，４００の広告費フィールド３０４，４０４に表示される（ステップＳ１０５）。
【００５１】
広告依頼者は広告依頼者端末１０の表示部１２に表示された登録確認画面で、登録内容を確認し、「登録する」か「登録しない」かの登録実行命令を広告情報登録サーバ２０へ送信する（ステップＳ１０６）。
【００５２】
広告情報登録サーバ２０は受信した登録実行命令が、「登録する」か「登録しない」かを判断する（ステップＳ２０５）。広告情報登録サーバ２０は受信した登録実行命令が「登録しない」の場合、入力待機状態に戻り、広告依頼者端末１０からの広告情報の送信に備える。一方、広告情報登録サーバ２０は受信した登録実行命令が「登録する」の場合、施設データベース２３に広告情報登録データを登録する（ステップＳ２０６）。
【００５３】
課金処理部２５は広告料金に基づいて、広告料金請求データを作成する（ステップＳ２０７）。広告料金請求データは広告料金請求に利用される（ステップＳ２０８）。広告料金請求データ作成後に登録完了データを広告依頼者端末１０へ送出する（ステップＳ２０９）。
【００５４】
広告依頼者端末１０は登録完了データを受信し、表示部１２へ登録完了画面として表示する（ステップＳ１０７）。
【００５５】
図１２は、本実施形態に係る広告料金課金に関する広告情報登録システムでの地図ページ閲覧処理フローを示す図である。地図データベース２２と施設データベース２３は広告情報登録サーバ２０が備えるデータベースである。以下に図１２のフロー図に沿って閲覧について説明する。
【００５６】
広告者受給者は広告者受給者端末３０を操作して地図ページを要求する（ステップＳ３０１）。この際、地図ページの中心の緯度・経度と地図の縮尺が広告情報登録サーバ２０に対して送信される。広告情報登録サーバ２０は広告者受給者端末３０からの地図ページの中心の緯度・経度および縮尺から表示に必要な地図範囲を算出する（ステップＳ４０１）。算出された地図範囲の緯度・経度データを地図データベース２２と施設データベース２３へ送信する（ステップＳ４０２）。地図データベース２２で緯度・経度データからメッシュＩＤが特定する（ステップＳ４０３）。メッシュＩＤから該当する地図データを抽出する（ステップＳ４０４）。
【００５７】
広告情報登録サーバ２０の通信処理部２７は抽出した地図データを広告者受給者端末３０へ送信する（ステップＳ４０５）。広告者受給者端末３０の表示部に地図が表示される（ステップＳ３０２）。
【００５８】
広告情報登録サーバ２０からの地図範囲の緯度・経度に基づいて、地図範囲内に含まれる施設データを、施設データベース２３から抽出する（ステップＳ４０６）。抽出した施設について、アイコン画像ファイルをアイコンランクに応じて加工する（ステップＳ４０７）。広告情報登録サーバ２０の通信処理部２７は、地図範囲内の施設アイコンデータ（名称、位置、アイコン画像、ＵＲＬ等）を広告者受給者端末３０へ送信する（ステップＳ４０８）。
【００５９】
広告者受給者端末３０では、表示部に表示された地図の上に施設アイコンを表示する（ステップＳ３０３）。
【００６０】
図１３は本実施形態に係る広告料金課金に関する広告情報登録システムでの閲覧画面７００である。広告受給者端末３０で表示される閲覧画面７００には、電子地図７０１が表示される。電子地図７０１の脇には、施設の検索結果７０２として○○レストラン、△△カフェ、●喫茶××が表示される。電子地図７０１上には、検索結果７０２に対応して○○レストランの位置７０３と△△カフェの位置７０４と●喫茶××の位置７０５がアイコンで表示される。これらのアイコンは、広告依頼者が支払っている広告料金に応じて大きさおよび絵柄が異なっている。従って、広告料金を支払えば支払う程、電子地図上のアイコンを目立つようにすることができる。
【００６１】
【発明の効果】
以上の説明で明らかなように本発明によれば、広告依頼者からの広告情報に応じて広告料金を提示する広告料金提示手段と、提示された広告料金に応じて広告対象を選択し提示する広告対象提示手段とを備えるので、広告依頼者からの、広告依頼者が自由に入力した広告情報に応じて広告料金が決定されるので、自己の広告予算に応じて広告情報を加減することによって広告料金を決定できる。また、この広告料金に応じて広告対象が提示されるので、広告予算に応じた広告対象を決めることができる。
【００６２】
広告情報が情報量および掲載期間であるので、自由に情報量の加減、掲載期間の長短を決めることができる。また、これらの情報量と掲載期間により広告料金が決定し、この広告料金に応じて広告対象が選択されるので、情報量の加減および掲載期間の長短を決めることで広告対象を決めることができる。
【００６３】
広告対象は電子地図上のアイコンであるので、ソフトによって容易に他の施設との差異化を図ることができる。また、掲載期間を自由に設定できるので、閉店セールの場合などに対してフレキシブルに対応することが可能である。また、広告掲載期間を長く設定した場合には、期間に応じた特別のランクアップも可能である。
【図面の簡単な説明】
【図１】本実施形態に係る広告料金課金に関する広告情報登録システムの全体を示す概念図である。
【図２】本実施形態に係る広告料金課金に関する広告情報登録システムの広告依頼者端末のブロック構成図である。
【図３】本実施形態に係る広告料金課金に関する広告情報登録システムの広告情報登録サーバのブロック構成図である。
【図４】本実施形態に係る広告料金課金に関する広告情報登録システムの課金データベースの概念構成図である。
【図５】本実施形態に係る広告料金課金に関する広告情報登録システムの地図データベースの概念構成図である。
【図６】本実施形態に係る広告料金課金に関する広告情報登録システムの施設データベースの概念構成図である。
【図７】本実施形態に係る広告料金課金に関する広告情報登録システムでの広告情報登録画面の表示と地図表示を示す概念図である。
【図８】本実施形態に係る広告料金課金に関する広告情報登録システムでの登録確認画面である。
【図９】本実施形態に係る広告料金課金に関する広告情報登録システムでの登録完了画面である。
【図１０】本実施形態に係る広告料金課金に関する広告情報登録システムでのアイコンランクとアイコンの半径の対応関係を示す図である。
【図１１】本実施形態に係る広告料金課金に関する広告情報登録システムでの広告登録処理フローを示す図である。
【図１２】本実施形態に係る広告料金課金に関する広告情報登録システムでの地図ページ閲覧処理フローを示す図である。
【図１３】本実施形態に係る広告料金課金に関する広告情報登録システムでの閲覧画面である。
【符号の説明】
１０ａ〜１０ｃ，１０　　広告依頼者端末
１１　　　　　　　　　　入力部
１２　　　　　　　　　　表示部
１３　　　　　　　　　　記憶部
１４　　　　　　　　　　通信部
１５　　　　　　　　　　中央処理管理装置
２０　　　　　　　　　　広告情報登録サーバ
２１　　　　　　　　　　課金データベース
２２　　　　　　　　　　地図データベース
２３　　　　　　　　　　施設データベース
２４　　　　　　　　　　時刻管理部
２５　　　　　　　　　　課金処理部
２６　　　　　　　　　　メモリ部
２７　　　　　　　　　　通信処理部
２８　　　　　　　　　　情報処理部
３０ａ〜３０ｃ，３０　　広告受給者端末
４０　　　　　　　　　　通信回線
【図１】
2004021539.tif 000003
【図２】
2004021539.tif 000004
【図３】
2004021539.tif 000005
【図４】
2004021539.tif 000006
【図５】
2004021539.tif 000007
【図６】
2004021539.tif 000008
【図７】
2004021539.tif 000009
【図８】
2004021539.tif 000010
【図９】
2004021539.tif 000011
【図１０】
2004021539.tif 000012
【図１１】
2004021539.tif 000013
【図１２】
2004021539.tif 000014
【図１３】
2004021539.tif 000015